【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
判別を実行可能な判別手段と、
その判別手段による判別結果を示すための識別情報が表示される表示手段と、
その表示手段に表示される前記識別情報を動的表示した後に、前記判別結果を示す態様で前記識別情報を停止表示させる動的表示手段と、
特定の前記判別結果を示す態様で前記識別情報が停止表示された場合に、遊技者に有利となる特典遊技を実行する特典遊技実行手段と、
終了条件が成立するまでの期間、通常状態よりも遊技者に有利となる有利遊技状態で遊技をすることが可能な遊技状態設定手段と、を有した遊技機において、
前記終了条件に対応する期間を設定可能な期間設定手段と、
その期間設定手段により設定された期間に対応した期間情報を記憶可能な記憶手段と、
前記期間の経過に基づいて、前記記憶手段に記憶された期間情報を更新する更新手段と、
前記有利遊技状態が設定されている場合に、前記記憶手段に記憶されている前記期間情報に対応した前記期間のうち、少なくとも一部の期間を示す期間態様を報知可能な期間報知手段と、を有し、
前記期間報知手段は、前記少なくとも一部の期間も遊技者が識別困難となる図柄態様で構成された特定態様を表示させることにより前記記憶手段に記憶されている前記期間情報に対応した前記期間を遊技者が識別困難となるように報知することが可能に構成され、
前記遊技機は、
前記特定態様が報知されている場合に前記記憶手段に記憶されている前記期間情報が所定の期間を越える状態では、前記特定の判別結果と判別されたことに基づいて、前記記憶手段に記憶される前記期間情報に対応した少なくとも一部の期間を識別可能となる態様に前記特定態様を可変させる第１特定演出を実行可能であり、
前記特定態様が報知されている場合に前記記憶手段に記憶されている前記期間情報が所定の期間以下である状態では、前記特定の判別結果と判別されたことに基づいて、前記記憶手段に記憶される前記期間情報に対応した少なくとも一部の期間を識別可能となる態様に前記特定態様を可変させる前記第１特定演出とは異なる第２特定演出を実行可能であることを特徴とする遊技機。
【請求項２】
前記表示手段は、液晶ディスプレイで構成されているものであることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、判別を実行可能な判別手段と、その判別手段による判別結果を示すための識別情報が表示される表示手段と、その表示手段に表示される前記識別情報を動的表示した後に、前記判別結果を示す態様で前記識別情報を停止表示させる動的表示手段と、特定の前記判別結果を示す態様で前記識別情報が停止表示された場合に、遊技者に有利となる特典遊技を実行する特典遊技実行手段と、終了条件が成立するまでの期間、通常状態よりも遊技者に有利となる有利遊技状態で遊技をすることが可能な遊技状態設定手段と、を有し、前記終了条件に対応する期間を設定可能な期間設定手段と、その期間設定手段により設定された期間に対応した期間情報を記憶可能な記憶手段と、前記期間の経過に基づいて、前記記憶手段に記憶された期間情報を更新する更新手段と、前記有利遊技状態が設定されている場合に、前記記憶手段に記憶されている前記期間情報に対応した前記期間のうち、少なくとも一部の期間を示す期間態様を報知可能な期間報知手段と、を有し、前記期間報知手段は、前記少なくとも一部の期間も遊技者が識別困難となる図柄態様で構成された特定態様を表示させることにより前記記憶手段に記憶されている前記期間情報に対応した前記期間を遊技者が識別困難となるように報知することが可能に構成され、前記遊技機は、前記特定態様が報知されている場合に前記記憶手段に記憶されている前記期間情報が所定の期間を越える状態では、前記特定の判別結果と判別されたことに基づいて、前記記憶手段に記憶される前記期間情報に対応した少なくとも一部の期間を識別可能となる態様に前記特定態様を可変させる第１特定演出を実行可能であり、前記特定態様が報知されている場合に前記記憶手段に記憶されている前記期間情報が所定の期間以下である状態では、前記特定の判別結果と判別されたことに基づいて、前記記憶手段に記憶される前記期間情報に対応した少なくとも一部の期間を識別可能となる態様に前記特定態様を可変させる前記第１特定演出とは異なる第２特定演出を実行可能である。
【手続補正３】
【補正対象書類名】明細書
【補正対象項目名】０００７
【補正方法】変更
【補正の内容】
【０００７】
請求項２記載の遊技機は、請求項１記載の遊技機において、前記表示手段は、液晶ディスプレイで構成されているものである。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
請求項１記載の遊技機によれば、判別を実行可能な判別手段と、その判別手段による判別結果を示すための識別情報が表示される表示手段と、その表示手段に表示される前記識別情報を動的表示した後に、前記判別結果を示す態様で前記識別情報を停止表示させる動的表示手段と、特定の前記判別結果を示す態様で前記識別情報が停止表示された場合に、遊技者に有利となる特典遊技を実行する特典遊技実行手段と、終了条件が成立するまでの期間、通常状態よりも遊技者に有利となる有利遊技状態で遊技をすることが可能な遊技状態設定手段と、を有し、前記終了条件に対応する期間を設定可能な期間設定手段と、その期間設定手段により設定された期間に対応した期間情報を記憶可能な記憶手段と、前記期間の経過に基づいて、前記記憶手段に記憶された期間情報を更新する更新手段と、前記有利遊技状態が設定されている場合に、前記記憶手段に記憶されている前記期間情報に対応した前記期間のうち、少なくとも一部の期間を示す期間態様を報知可能な期間報知手段と、を有し、前記期間報知手段は、前記少なくとも一部の期間も遊技者が識別困難となる図柄態様で構成された特定態様を表示させることにより前記記憶手段に記憶されている前記期間情報に対応した前記期間を遊技者が識別困難となるように報知することが可能に構成され、前記遊技機は、前記特定態様が報知されている場合に前記記憶手段に記憶されている前記期間情報が所定の期間を越える状態では、前記特定の判別結果と判別されたことに基づいて、前記記憶手段に記憶される前記期間情報に対応した少なくとも一部の期間を識別可能となる態様に前記特定態様を可変させる第１特定演出を実行可能であり、前記特定態様が報知されている場合に前記記憶手段に記憶されている前記期間情報が所定の期間以下である状態では、前記特定の判別結果と判別されたことに基づいて、前記記憶手段に記憶される前記期間情報に対応した少なくとも一部の期間を識別可能となる態様に前記特定態様を可変させる前記第１特定演出とは異なる第２特定演出を実行可能である。
【手続補正８】
【補正対象書類名】明細書
【補正対象項目名】００１２
【補正方法】変更
【補正の内容】
【００１２】
よって、遊技の興趣を向上できるという効果がある。
【手続補正９】
【補正対象書類名】明細書
【補正対象項目名】００１３
【補正方法】変更
【補正の内容】
【００１３】
請求項２記載の遊技機によれば、請求項１記載の遊技機の奏する効果に加え、次の効果を奏する。即ち、前記表示手段は、液晶ディスプレイで構成されているものである。
【手続補正１０】
【補正対象書類名】明細書
【補正対象項目名】００１４
【補正方法】変更
【補正の内容】
【００１４】
よって、多様な表示態様を表示できるという効果がある。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】２８２４
【補正方法】変更
【補正の内容】
【２８２４】
前記各遊技機は、パチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、遊技者が操作可能な操作ボタン等の操作手段を有し、興趣演出の一種として、操作手段に対する操作を遊技者に促す操作演出を実行可能なものがある。この従来型の遊技機では、操作演出において操作ボタンを操作することにより、通常とは異なる特別な演出を発生させ、遊技者の興趣向上を図っていた（例えば、特許文献１：特開２００６−２６３５２３号公報）。
しかしながら、更なる興趣向上が求められていた。
本技術的思想は、上記例示した問題点等を解決するためになされたものであり、遊技の興趣を向上できる遊技機を提供することを目的とする。
＜手段＞
この目的を達成するために技術的思想１の遊技機は、遊技者に有利となる特典情報を決定する特典情報決定手段と、その特典情報決定手段により決定された前記特典情報を記憶可能な記憶手段と、その記憶手段に記憶された前記特典情報のうち少なくとも一部に対応する遊技者に有利となる特典を付与する特典付与手段と、その特典付与手段により前記特典が付与された場合に、その特典を前記記憶手段に記憶されている特典情報に対応する特典から減らした特典情報に更新する特典情報更新手段と、前記記憶手段に記憶されている前記特典情報よりも少ない特典情報に基づいた識別情報が表示される表示手段と、その表示手段に表示する前記特典情報を前記記憶手段に記憶されている前記特典情報を上限に決定する決定手段と、遊技者が操作可能な操作手段と、その操作手段が操作された場合に、その操作タイミングに対応する前記特典情報を可変させて設定する設定手段と、その設定手段により設定される前記特典情報を特定条件に基づいて可変させる可変設定手段と、前記操作手段が操作されたことに基づいて前記設定手段により設定されている前記特典情報を取得して、前記表示手段に表示されている前記識別情報に対応する前記特典情報を更新して対応する識別情報に更新する表示更新手段と、を有するものである。
技術的思想２の遊技機は、技術的思想１記載の遊技機において、判定条件の成立に基づいて、判定を実行する判定手段と、その判定手段による判定結果が特定の判定結果であることに基づいて遊技者に有利となる特典遊技を実行する特典遊技実行手段と、を有し、前記特典付与手段は、前記判定手段により前記特定の判定結果と判定される確率を高くする高確率状態を所定回数、前記判定手段による判定が実行されるまで、前記判定が実行される毎に、前記特典として継続設定するものである。
技術的思想３の遊技機は、技術的思想２に記載の遊技機において、前記識別情報は、前記高確率状態が継続されることを確定して報知する回数を示す情報である。
技術的思想４の遊技機は、技術的思想１から３のいずれかに記載の遊技機において、前記操作手段を操作するタイミングを示唆する示唆表示態様を前記表示手段に表示する示唆表示制御手段と、その示唆表示制御手段に表示される前記示唆表示態様を前記設定手段に設定される前記特典情報のタイミングに基づいて決定する示唆表示態様決定手段と、を有するものである。
技術的思想５の遊技機は、技術的思想４に記載の遊技機において、前記示唆表示態様は、時間経過に基づいて可変して表示される可変表示態様と、その可変表示態様により前記設定手段に設定されている前記特典情報を判別可能な判別態様とが少なくとも表示されるものである。
＜効果＞
技術的思想１記載の遊技機によれば、遊技者に有利となる特典情報が特典情報決定手段により決定される。その特典情報決定手段により決定された特典情報が記憶手段に記憶され、その記憶された特典情報のうち少なくとも一部に対応する遊技者に有利となる特典が特典付与手段により付与される。その特典付与手段により特典が付与された場合に、特典情報更新手段により、その特典が記憶手段に記憶されている特典情報に対応する特典から減らした特典情報に更新される。記憶手段に記憶されている特典情報よりも少ない特典情報に基づいた識別情報が表示手段に表示される。その表示手段に表示する特典情報が決定手段により記憶手段に記憶されている特典情報を上限に決定される。遊技者により操作手段が操作された場合に、その操作タイミングに対応する特典情報が設定手段により可変されて設定される。その設定手段により設定される特典情報が可変設定手段により特定条件に基づいて可変される。操作手段が操作されたことに基づいて設定手段により設定されている特典情報が取得され、表示手段に表示されている識別情報に対応する特典情報が表示更新手段により対応する識別情報に更新される。
これにより、操作手段が操作されたことに基づいて特典情報を更新することが可能となる。よって、遊技の興趣を向上できるという効果がある。
技術的思想２記載の遊技機によれば、技術的思想１記載の遊技機の奏する効果に加え、次の効果を奏する。即ち、判定条件の成立に基づいて、判定手段により判定が実行される。その判定手段による判定結果が特定の判定結果であることに基づいて遊技者に有利となる特典遊技が特典遊技実行手段により実行される。そして、判定手段により特定の判定結果と判定される確率を高くする高確率状態が、特典付与手段により、所定回数、判定手段に判定が実行されるまで、判定が実行される毎に、特典として継続設定される。
これにより、高確率状態が設定されていることを遊技者が容易に把握することができる。よって、遊技者に安心して遊技を行わせることができるという効果がある。
技術的思想３記載の遊技機によれば、技術的思想２に記載の遊技機の奏する効果に加え、次の効果を奏する。即ち、識別情報により、高確率状態が継続されることを確定して報知する回数が示される。
これにより、高確率状態が継続されることが確定している回数を遊技者が容易に把握することができる。よって、遊技者に安心して遊技を行わせることができるという効果がある。
技術的思想４記載の遊技機によれば、技術的思想１から３のいずれかに記載の遊技機の奏する効果に加え、次の効果を奏する。即ち、操作手段を操作するタイミングを示唆する示唆表示態様が示唆表示制御手段により表示手段に表示される。その示唆表示制御手段に表示される示唆表示態様が示唆表示態様決定手段により設定手段に設定される特典情報のタイミングに基づいて決定される。
これにより、表示手段に表示される示唆表示態様に基づいて操作手段を操作することで、特典情報が付与されるため、遊技者に分かり易い演出を提供することができるという効果がある。
技術的思想５記載の遊技機によれば、技術的思想４に記載の遊技機の奏する効果に加え、次の効果を奏する。即ち、示唆表示態様として、可変表示態様が時間経過に基づいて可変して表示され、その可変表示態様により設定手段に設定されている特典情報を判別可能な判別態様が表示されるものである。
これにより、第１特典遊技を第２特典遊技よりも入球し易い特典遊技として確実に実行することができるという効果がある。可変表示態様として表示される表示内容によって付与される特典情報を判別することができるため、遊技者に対して操作手段を操作させるタイミングを狙わせることが可能となる。よって、遊技の興趣を向上できるという効果がある。
【手続補正１８】
【補正対象書類名】明細書
【補正対象項目名】２８２５
【補正方法】変更
【補正の内容】
【２８２５】
１０                            パチンコ機（遊技機）
２２                            枠ボタン（操作手段）
８１                            第３図柄表示装置（表示手段）
Ｓ４０３，Ｓ９０３ 確率設定手段の一部
Ｓ４０５                        判別手段
Ｓ６０２ 更新手段
Ｓ２００４                      特典遊技実行手段
Ｓ２３０３                      期間設定手段
Ｓ４３７４                      決定手段
Ｓ５６０３                      可変設定手段